(57)【要約】【課題】簡単に衣服を取り外すことができるハンガーを提供する。【解決手段】ハンガーは、フック１２と、衣服の両肩部の内側をそれぞれ支持する第１及び第２の支持部１４ａ、１４ｂと、第１及び第２の支持部１４ａ、１４ｂをフック１２に対して回転可能に連結する第１の関節１６ｂと、第１の支持部１４ａのフック１２とは反対の側の端部に設けられた第２の関節部１６ｂと、第２の支持部１４ｂのフック１２とは反対の側の端部に設けられた第３の関節部１６ｃと、第２及び第３の関節部１６ｂ、１６ｃを連結し、中央部が上方向に折れ曲がる連結部１８と、を備える。【選択図】図１
2017202282.tif 000002
【特許請求の範囲】
【請求項１】
フックと、
衣服の両肩部の内側をそれぞれ支持する第１及び第２の支持部と、
前記第１及び第２の支持部を前記フックに対して回転可能に連結する第１の関節と、
前記第１の支持部の前記フックとは反対の側の端部に設けられた第２の関節部と、
前記第２の支持部の前記フックとは反対の側の端部に設けられた第３の関節部と、
前記第２及び第３の関節部を連結し、中央部が上方向に折れ曲がる連結部と、を備えたことを特徴とするハンガー。
【請求項２】
請求項１記載のハンガーにおいて、
前記第１及び第２の支持部にそれぞれ設けられ、前記衣服との摩擦を低減する低摩擦手段を更に備えたことを特徴とするハンガー。
【請求項３】
請求項２記載のハンガーにおいて、
前記低摩擦手段が、複数のローラーであることを特徴とするハンガー。
【請求項４】
請求項３記載のハンガーにおいて、
前記連結部が、前記第２の関節部から延びる第１の連結部材と、
前記第３の関節部から延びる第２の連結部材と、
前記第１の連結部及び前記第２の連結部材を接続する第４の関節部と、
前記第１の連結部材及び前記第２の連結部材が直線状になるような力を発生する弾性体と、を有することを特徴とするハンガー。
【請求項５】
請求項４記載のハンガーにおいて、
前記弾性体が、輪ゴムであることを特徴とするハンガー。
【発明の詳細な説明】
【技術分野】
【０００１】  本発明は、ハンガーに関する。
【背景技術】
【０００２】  特許文献１には、ハンガーが記載されている。このハンガーは、１対の肩部本体の一端部をフックと共に回動可能に連結し、肩部本体の他端部間を、１対の連結部材同士がその一端部で回動可能に連結されてなる連結体により回動可能に連結され、かつ両連結部材はばねにより一定方向の回転力を生じさせるように付勢されている。
【先行技術文献】
【特許文献】
【０００３】
【特許文献１】特開２０１３−２４８３６６号公報
【発明の概要】
【発明が解決しようとする課題】
【０００４】  本発明は、簡単に衣服を取り外すことができるハンガーを提供することを目的とする。
【課題を解決するための手段】
【０００５】  前記目的に沿う本発明に係るハンガーは、フックと、
衣服の両肩部の内側をそれぞれ支持する第１及び第２の支持部と、
前記第１及び第２の支持部を前記フックに対して回転可能に連結する第１の関節と、
前記第１の支持部の前記フックとは反対の側の端部に設けられた第２の関節部と、
前記第２の支持部の前記フックとは反対の側の端部に設けられた第３の関節部と、
前記第２及び第３の関節部を連結し、中央部が上方向に折れ曲がる連結部と、を備える。【０００６】  本発明に係るハンガーにおいて、
前記第１及び第２の支持部にそれぞれ設けられ、前記衣服との摩擦を低減する低摩擦手段を更に備えていることが好ましい。【０００７】  本発明に係るハンガーにおいて、
前記低摩擦手段が、複数のローラーであってもよい。【０００８】  本発明に係るハンガーにおいて、
前記連結部が、前記第２の関節部から延びる第１の連結部材と、
前記第３の関節部から延びる第２の連結部材と、
前記第１の連結部及び前記第２の連結部材を接続する第４の関節部と、
前記第１の連結部材及び前記第２の連結部材が直線状になるような力を発生する弾性体と、を有することが好ましい。【０００９】  本発明に係るハンガーにおいて、
前記弾性体が、輪ゴムであってもよい。
【発明の効果】
【００１０】  本発明によれば、簡単に衣服を取り外すことができるハンガーを提供できる。
【図面の簡単な説明】
【００１１】
【図１】本発明の一実施の形態に係るハンガーの正面図である。
【図２】同ハンガーの側面図である。
【図３】同ハンガーが備えるローラーを示す部分拡大図である。
【図４】図１の矢視Ａである。
【図５】同ハンガーの連結部を示す説明図である。
【発明を実施するための形態】
【００１２】  続いて、添付した図面を参照しつつ、本発明を具体化した実施の形態につき説明し、本発明の理解に供する。なお、図において、説明に関連しない部分は図示を省略する場合がある。
【００１３】  本発明の一実施の形態に係るハンガー１０は、図１及び図２に示すように、フック１２、第１の支持部１４ａ、第２の支持部１４ｂ、第１〜第３の関節部１６ａ、１６ｂ、１６ｃ、複数のローラー（低摩擦手段の一例）２０、及び連結部１８を備えている。
【００１４】  フック１２は、例えば収納に備え付けられたバーに引っ掛けられる。
【００１５】  第１の支持部１４ａ及び第２の支持部１４ｂは、それぞれ、図２に示すように、フック１２の根元側から間隔を空けて延びる一対の棒状の部材である。第１の支持部１４ａ及び第２の支持部１４ｂは、それぞれ、衣服の両肩部の内側を支持できる。
【００１６】  第１の関節部１６ａはフック１２の根元に設けられ、第１の支持部１４ａ及び第２の支持部１４ｂをフック１２に対して回転可能に連結する。
第２の関節部１６ｂは、第１の支持部１４ａのフック１２とは反対の側の端部に設けられている。
第３の関節部１６ｃは、第２の支持部１４ｂのフック１２とは反対の側の端部に設けられている。
【００１７】  複数のローラー２０は、それぞれ、第１の支持部１４ａ及び第２の支持部１４ｂに設けられている。各ローラー２０は、図３及び図４に示すように、第１の支持部１４ａ及び第２の支持部１４ｂが延びる方向に沿って、間隔をあけて配置されている。また、各ローラ２０の一部は、図１に示すように正面から見ると、第１の支持部１４ａ及び第２の支持部１４ｂから突出している。各ローラー２０は、第１の支持部１４ａ及び第２の支持部１４ｂが延びる方向と直交する方向に延びる水平軸周りに回転する。
【００１８】  連結部１８は、第２の関節部１６ｂ及び第３の関節部１６ｃを互いに連結する。
連結部１８は、図５に示すように、左側部材（第１の連結部材の一例）１８１、右側部材（第２の連結部材の一例）１８２、第４の関節部１６ｄ、及び弾性体１８４を有している。
左側部材１８１は、第２の関節部１６ｂから延びる棒状の部材である。左側部材１８１は、第２の関節部１６ｂを介して第１の支持部１４ａに対して回転可能に連結されている。
右側部材１８２は、第３の関節部１６ｃから延びる棒状の部材である。右側部材１８２は、第３の関節部１６ｃを介して第２の支持部１４ｂに対して回転可能に連結されている。
第４の関節部１６ｄは、左側部材１８１と右側部材１８２とを、左側部材１８１及び右側部材１８２が延びる方向と交差する方向に延びる水平軸周りに回転可能に連結する。ただし、連結部１８が下側に折れ曲がらないようにその回転角度は制限されている。
【００１９】  弾性体１８４は、例えば輪ゴムであり、一端が左側部材１８１から突出する突起１８６ａに取り付けられ、他端が右側部材１８２から突出する突起１８６ｂに取り付けられる。従って、弾性体１８４は、左側部材１８１及び右側部材１８２が直線状になるような力（連結部１８が上側に折れ曲がることを阻害するような力）を発生する。
【００２０】  次に、ハンガー１０の使用方法について説明する。ハンガー１０に衣服をかける方法は従来のハンガーと同一であるので、以下、ハンガー１０から衣服を取り外す方法についてのみ説明する。
【００２１】  ハンガー１０から衣服を取り外すには、衣服（不図示）の一端部を持って、下方に向かって引っ張る。
そうすると、衣服を介して、第１の支持部１４ａ及び第２の支持部１４ｂに下方への力が加わり、第１〜第４の関節部１６ａ〜１６ｄが回転して連結部１８が上側に折れ曲がり、ハンガー１０の幅が狭まる。その結果、ローラー２０が回転するとともに衣服が簡単に滑り落ち、取り外すことができる。
衣服が取り外されると、弾性体１８４の作用により、折れ曲がった連結部１８が元に戻る。すなわち、折り畳まれたハンガー１０は、衣服が掛けられていた当初の状態に戻る。
【００２２】  このように、本実施の形態に係るハンガー１０によれば、かけた衣服を引っ張るだけで、簡単に取り外すことができる。
【００２３】  以上、本発明の実施の形態を説明したが、本発明は、上記した形態に限定されるものでなく、要旨を逸脱しない条件の変更等は全て本発明の適用範囲である。
【符号の説明】
【００２４】１０  ハンガー
１２  フック
１４ａ  第１の支持部
１４ｂ  第２の支持部
１６ａ  第１の関節部
１６ｂ  第２の関節部
１６ｃ  第３の関節部
１６ｄ  第４の関節部
１８  連結部
２０  ローラー
１８１  左側部材
１８２  右側部材
１８４  弾性体
１８６ａ、１８６ｂ  突起
【図１】
2017202282.tif 000003
【図２】
2017202282.tif 000004
【図３】
2017202282.tif 000005
【図４】
2017202282.tif 000006
【図５】
2017202282.tif 000007
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
フックと、
複数のローラーが設けられ、衣服の両肩部の内側をそれぞれ支持する第１及び第２の支持部と、
前記第１及び第２の支持部を前記フックに対して回転可能に連結する第１の関節と、
前記第１の支持部の前記フックとは反対の側の端部に設けられた第２の関節部と、
前記第２の支持部の前記フックとは反対の側の端部に設けられた第３の関節部と、
前記第２及び第３の関節部を連結し、中央部が上方向に折れ曲がる連結部と、を備え、
前記連結部が、前記第２の関節部から延びる第１の連結部材と、
前記第３の関節部から延びる第２の連結部材と、
前記第１の連結部及び前記第２の連結部材を接続する第４の関節部と、
前記第１の連結部材及び前記第２の連結部材からそれぞれ突出する突起に取り付けられ、該第１の連結部材及び該第２の連結部材が直線状になるような力を発生する輪ゴムと、を有し、
前記複数のローラーが、それぞれ、前記第１の支持部及び前記第２の支持部が延びる方向に沿って間隔をあけて配置され、該第１の支持部及び該第２の支持部が延びる方向と直交する方向に延びる水平軸周りに回転することを特徴とするハンガー。
【手続補正２】
【補正対象書類名】明細書
【補正対象項目名】０００５
【補正方法】変更
【補正の内容】
【０００５】  前記目的に沿う本発明に係るハンガーは、フックと、
複数のローラーが設けられ、衣服の両肩部の内側をそれぞれ支持する第１及び第２の支持部と、
前記第１及び第２の支持部を前記フックに対して回転可能に連結する第１の関節と、
前記第１の支持部の前記フックとは反対の側の端部に設けられた第２の関節部と、
前記第２の支持部の前記フックとは反対の側の端部に設けられた第３の関節部と、
前記第２及び第３の関節部を連結し、中央部が上方向に折れ曲がる連結部と、を備え、
前記連結部が、前記第２の関節部から延びる第１の連結部材と、
前記第３の関節部から延びる第２の連結部材と、
前記第１の連結部及び前記第２の連結部材を接続する第４の関節部と、
前記第１の連結部材及び前記第２の連結部材からそれぞれ突出する突起に取り付けられ、該第１の連結部材及び該第２の連結部材が直線状になるような力を発生する輪ゴムと、を有し、
前記複数のローラーが、それぞれ、前記第１の支持部及び前記第２の支持部が延びる方向に沿って間隔をあけて配置され、該第１の支持部及び該第２の支持部が延びる方向と直交する方向に延びる水平軸周りに回転する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】